(57)【要約】【課題】  複数台誘導機一括制御において、誘導機間の速度差が大きくなると、誘導機速度に演算誤差が生じ、誘導機実すべりが拡大し、誘導機が脱調状態に陥る。【解決手段】  誘導機磁束から誘導機磁束大きさを演算する磁束量演算器と、誘導機磁束大きさと磁束基準値を入力し誤差率を出力する磁束誤差演算器と、誤差率を積分し誤差時間を出力する積分器と、時間設定値と誤差時間を比較し検知信号を出力する比較器と、運転指令と検知信号から制御指令を作成する運転論理器を新たに追加し、運転指令の代わりに制御指令をトルク制御手段に入力する。【選択図】図１
2008043112.tif 000002
【特許請求の範囲】
【請求項１】
複数台誘導機を持ち、全誘導機の総和電流と電圧から誘導機磁束を演算する磁束演算器と、該誘導機磁束と該総和電流から誘導機速度を演算する速度演算器を有し、前記総和電流と前記誘導機速度と磁束指令とトルク指令と運転指令を基に該複数台誘導機のトルクを一括制御するトルク制御手段を有する誘導機制御装置において、
該誘導機磁束から誘導機磁束大きさを演算する磁束量演算器と、前記誘導機磁束大きさと磁束基準値を入力し誤差率を出力する磁束誤差演算器と、該誤差率を積分し誤差時間を出力する積分器と、時間設定値と該誤差時間を比較し検知信号を出力する比較器と、該運転指令と該検知信号から制御指令を作成する運転論理器を新たに追加し、前記運転指令の代わりに該制御指令を該トルク制御手段に入力することを特徴とする誘導機制御装置。
【請求項２】
前記磁束誤差演算器において、
前記誘導機磁束大きさφvolと前記磁束基準値φnを比較して、φvol＞φnで前記誤差率を０、φvol＜φnで前記誤差率を１とすることを特徴とする請求項１記載の誘導機制御装置。
【請求項３】
前記磁束誤差演算器において、
前記誘導機磁束大きさφvolと前記磁束基準値φnから前記誤差率dφを
dφ＝（φn−φvol）／φn
で演算することを特徴とする請求項１記載の誘導機制御装置。
【請求項４】
前記磁束誤差演算器において、
前記誘導機磁束大きさφvolと前記磁束基準値φnと演算ゲインαから前記誤差率dφを
dφ＝（φn−φvol）／［（１−α）・φn］
で演算することを特徴とする請求項１記載の誘導機制御装置。
【請求項５】
前記磁束指令φ*を入力とする基準値設定器により前記磁束基準値φnを作成することを特徴とする請求１記載の誘導機制御装置。
【請求項６】
前記磁束基準値φnを、前記磁束指令φ*と減衰率βとの積とすることを特徴とする請求１記載の誘導機制御装置。
【発明の詳細な説明】
【技術分野】
【０００１】
本発明は、誘導機のトルク制御に関するもので、特に、複数台誘導機の一括トルク制御時の脱調状態を回避するものである。
【背景技術】
【０００２】
図２は、一従来例を示すブロック図である。101、102、103、104は誘導機、２は電流検出器、３は電力変換器、４はトルク制御手段、５は磁束演算器、６は速度演算器である。
図２において、誘導機は４台しか示されていないが、複数台であれば、何台であっても良い。以下、誘導機は４台であるとして説明する。
【０００３】
電流検出器２は、電力変換器３につながる個々の誘導機に流れる電流の相毎の総和である総和電流ｉを検出する。
電圧系磁束演算器５は、総和電流ｉと電力変換器３に入力される電圧指令ｖから、誘導機磁束φを式(1)で演算する。
【０００４】
【数１】
2008043112.tif 000003
ここで、Ｒ１は全誘導機の一次抵抗合成値、Ｌ２は二次自己インダクタンス合成値、Ｍは相互インダクタンス合成値、Lekは漏れインダクタンス合成値である。漏れインダクタンス合成値Lekは、
【０００５】
【数２】
2008043112.tif 000004
で与えられる。ここで、Ｌ１は全誘導機の一次自己インダクタンス合成値である。
【０００６】
速度演算器６は、総和電流ｉと誘導機磁束φから、式(3)〜式(5)を用いて誘導機速度ωｍを演算する。
【０００７】
【数３】
2008043112.tif 000005
ここで、Ｒ２は全誘導機の二次抵抗合成値、ＦＡとＦＢは誘導機磁束φの成分である。
【０００８】
式(5)で演算される誘導機速度ωｍは、個々の誘導機速度の平均値となり、式(6)で示される値となる。
ωｍ＝（ωｍ1+ωｍ2+ωｍ3+ωｍ4）/４       式(6)
ここで、ωｍ1は誘導機101の速度、ωｍ2は誘導機102の速度、ωｍ3は誘導機103の速度、ωｍ4は誘導機104の速度である。
【０００９】
トルク制御手段４は、運転指令NがONのときは、誘導機速度ωｍと総和電流ｉを基に、全誘導機の磁束とトータルトルクが磁束指令φ＊、トルク指令τ＊となるような電圧指令ｖを出力する。運転指令NがOFFのときは、電圧指令ｖを０として、誘導機を無制御状態とする。
電力変換器３は、電圧指令ｖを増幅し、負荷である誘導機101〜104に電力を供給する。
【００１０】
運転指令Ｎは、トルク制御手段４へ入力する代わりに電力変換器３へ入力し、運転指令ＮがONで電圧指令ｖに相当する電力を誘導機101〜104に供給し、運転指令ＮがOFFで電力供給停止としても、同等の機能を得ることができる。
【００１１】
以上の構成とすることにより、運転指令ONのときは、複数台誘導機のトータルトルクをトルク指令τ＊に制御することができる。運転指令OFFにすれば、複数台誘導機を無制御状態にすることができる。
【００１２】
車両においては、台車制御、１車両制御が一般的であるため、複数台誘導機の一括トルク制御が多用されている。
【００１３】
【特許文献１】特開平１１−０６９８９５号公報
【発明の開示】
【発明が解決しようとする課題】
【００１４】
従来技術においては、以下に示す問題点がある。
車両において一括制御している一部車輪軸が空転し、例えば誘導機103の速度ωｍ3がωｍ1とωｍ2とωｍ4に比べて大きくなった場合、式(6)によれば、ωｍ1、ωｍ2、ωｍ3、ωｍ4に対する誘導機速度ωｍの演算誤差が発生する。誘導機103の空転が大きく、誘導機速度ωｍの演算誤差が大きくなれば、誘導機103が脱調状態となる。さらに、誘導機103の空転が大きくなれば、誘導機103だけでなく、誘導機101や誘導機102や誘導機104も脱調状態となる。
【００１５】
また、一部車輪軸の滑走が大きくなった場合も、空転時と同じく、誘導機が脱調状態になる可能性がある。
【００１６】
誘導機が脱調状態になると、トルク制御不能となり、最悪の場合、過電流や過電圧により、誘導機破壊、電力変換器素子破壊へとつながる。
本発明は、以上の問題点を解決するためになされたものである。
【課題を解決するための手段】
【００１７】
前述の問題点を解決するために、請求項１においては、誘導機磁束φから誘導機磁束大きさφvolを演算する磁束量演算器７と、誘導機磁束大きさφvolと磁束基準値φnを入力し誤差率dφを出力する磁束誤差演算器８と、誤差率dφを積分し誤差時間Tφを出力する積分器９と、時間設定値Tnと誤差時間Tφを比較し検知信号Ｋを出力する比較器10と、運転指令Ｎと検知信号Ｋから制御指令NNを作成する運転論理器11を新たに追加し、運転指令Ｎの代わりに制御指令NNをトルク制御手段４に入力する。
【００１８】
請求項２〜４においては、磁束誤差演算器８の演算式を構成する。
請求項５においては、磁束指令φ*を入力とする基準値設定器12により磁束基準値φnを作成する。請求項６においては、磁束基準値φnを、磁束指令φ*と減衰率βとの積とする。
【発明の効果】
【００１９】
誘導機が脱調状態となる前に、一部車輪軸の空転、滑走が大きくなったことを検知でき、誘導機のトルク制御を停止させることができる。
一部車輪軸の空転、滑走の度合いにより、検知するまでの時間を変える事ができる。
【発明を実施するための最良の形態】
【００２０】
磁束量演算器７と磁束誤差演算器８と積分器９と比較器10を新たに追加することにより、全誘導機中の一部車輪軸に空転あるいは滑走が発生していることが検知できる。また、磁束誤差演算器８の演算内容により、一部車輪軸の空転、滑走の度合いに対して、検知するまでの時間を変える事ができる。検知した信号を運転論理器11にて処理して制御指令を作成し、トルク制御手段４に入力することにより、誘導機のトルク制御を停止させることができる。
【実施例１】
【００２１】
図１は、本発明の一実施例を示すブロック図であり、７は磁束量演算器、８は磁束誤差演算器、９は積分器、10は比較器、11は運転論理器である。
【００２２】
磁束量演算器７は、誘導機磁束φを入力し、式(7)から誘導機磁束大きさφvolを演算する。
【００２３】
【数４】
2008043112.tif 000006
【００２４】
磁束誤差演算器８は、誘導機磁束大きさφvolと磁束基準値φnを入力し、誤差率dφを出力する。磁束誤差演算器８内では、以下の3点を満たすような誤差率dφを誘導機磁束大きさφvolから演算する。
・dφは無次元の単位となるようにする。
・φvol＝φnにてdφ＝０とする。
・φvol＜φnではdφ≧０とする。特に、φvol＝０ではdφ＞０とする。
【００２５】
積分器９は、誤差率dφを積分して、誤差時間Tφとする。ただし、誤差時間Tφは０以上とし、０未満は０とする。比較器10は、誤差時間Tφと時間設定値Tnを入力し、Tφ＜Tnでは検知信号KをON、Tφ＞Tnでは検知信号KをOFFとする。
【００２６】
磁束誤差演算器８、積分器９、比較器10を組み合わせることにより、磁束大きさφvolが磁束基準値φnより小さくなると、時間設定値Tnに依存した時間経過後、検知信号KがONからOFFへと切り替わる。
【００２７】
運転論理器11は、運転指令Ｎと検知信号Ｋの論理積を行い、制御指令NNを出力する。運転指令Ｎと検知信号ＫのどちらかがOFFであれば、制御指令NNはOFFとなる。
【００２８】
トルク制御手段４は、制御指令NNがONのときは、誘導機速度ωｍと総和電流ｉを基に、全誘導機の磁束とトータルトルクが磁束指令φ＊、トルク指令τ＊となるような電圧指令ｖを出力する。制御指令NNがOFFのときは、電圧指令ｖを０として、誘導機を無制御状態とする。
【００２９】
制御指令NNは、トルク制御手段４へ入力する代わりに電力変換器３へ入力し、制御指令NNがONで電圧指令ｖに相当する電力を誘導機101〜104に供給し、制御指令NNがOFFで電力供給停止としても、同等の機能を得ることができる。
【００３０】
誘導機101〜104の中で誘導機103だけが空転し、ωｍ1、ωｍ2、ωｍ4に対して、ωｍ3が大きくなったとする。式(6)により、速度演算誤差は、ωｍ＞ωｍ1、ωｍ＞ωｍ2、ωｍ＞ωｍ4、ωｍ＜ωｍ3となる。その結果、トルク指令τ*、磁束指令φ*から予定されるすべり指令ωｓに対して、誘導機101、102、104の実すべりは大きくなり、誘導機103の実すべりは小さくなる。
【００３１】
この状態で、総和電流ｉを一定となるようにトルク制御手段４でトルク制御を実施すると、トータルトルクはトルク指令τ*に一致するが、個々の誘導機磁束大きさは磁束指令φ*と異なる。誘導機101、102、104の磁束大きさは、磁束指令φ*より小さくなる。誘導機103の磁束大きさは、空転の度合いによるが、空転が大きければ、磁束指令φ*より小さくなる。空転が大きければ、磁束大きさφvolは小さくなる。上記経緯で誘導機磁束大きさφvolが磁束指令φ*より小さくなることを利用し、磁束基準値φnと時間設定値Tnを用いて、検知信号Ｋを作成している。ここでは空転を例としたが、滑走の場合も同様である。
【００３２】
以上の構成とすることにより、誘導機磁束大きさφvolが磁束基準値φnより小さくなり時間設定値Tnに依存した時間が経過した後、検知信号KがOFFとなる。その結果、誘導機が脱調状態となる前に、一部車軸の空転、滑走が大きくなったことを検知でき、誘導機のトルク制御を停止させることができる。
【００３３】
図５は、磁束基準値φnの一作成例を示す図であり、基準値設定器12にて、磁束指令φ*を基に磁束基準値φnを作成する。例えば、磁束基準値φnを、磁束指令φ*と減衰率βとの積として演算する。減衰率βは、０から１の値とする。
【００３４】
図５を構成することにより、誘導機磁束大きさφvolが磁束指令φ*より小さくなり減衰率βと時間設定値Tnに依存した時間が経過した後、検知信号KがOFFとなる。φn＝β・φ*ならば、φvol＜β・φ*より小さくなり時間設定値Tnに依存した時間が経過した後、検知信号KがOFFとなる。その結果、誘導機が脱調状態となる前に、一部車軸の空転、滑走が大きくなったことを検知でき、誘導機のトルク制御を停止させることができる。
【００３５】
車両制御の一部車輪軸の空転、滑走による速度演算誤差に限らず、トルクの一括制御対象となっている複数台誘導機の一部の軸速度に差ができた場合であっても、本発明は有効である。
【実施例２】
【００３６】
図３は磁束誤差演算器８の一実施例を示す図であり、φvol＞φnで誤差率dφを０、φvol＜φnで誤差率dφを１とする。誤差率dφは積分器９に入力される。
【００３７】
以下、積分器９、比較器10、運転論理器11、トルク制御手段４、電力変換器３については、実施例１と同じ動作となる。
【００３８】
以上の構成とすることにより、φvol＜φnの状態が合計時間でTn存在すると検知信号KがOFFとなる。その結果、誘導機が脱調状態となる前に、一部車軸の空転、滑走が大きくなったことを検知でき、誘導機のトルク制御を停止させることができる。
【００３９】
ところで、積分器９の出力である誤差時間Tφを誘導機トルク制御停止状態で０にすれば、検知信号KはONとなり、再度のトルク制御開始可能となる。そのとき、同様に一部車軸の空転、滑走が大きくなれば、再度、本発明の検知が初期状態から行われ、条件を満たせば誘導機のトルク制御が停止する。
【００４０】
また、積分器９の出力である誤差時間Tφをφvol＞φnで０にすれば、時間Tn経過以前にφvol＞φnとなった時、検知は初期状態に戻る。よって、φvol＜φnの状態が時間Tn継続した時に検知信号KがOFFとなる。
【実施例３】
【００４１】
図４は磁束誤差演算器８の一実施例を示す図であり、演算ゲインαを用いて、式(8)にて誤差率dφを演算している。
dφ＝（φn−φvol）／［（１−α）・φn］       式(8)
演算ゲインαの値により、誘導機磁束大きさφvolに対する誤差率dφのレベルが異なってくる。演算ゲインαは１未満の値とする。特に、α＝０の場合、式(9)となり、φvol＝０にてdφ＝１となる。
dφ＝（φn−φvol）／φn                             式(9)
誤差率dφは積分器９に入力される。
【００４２】
以下、積分器９、比較器10、運転論理器11、トルク制御手段４、電力変換器３については、実施例１と同じ動作となる。
【００４３】
磁束誤差演算器８、積分器９、比較器10の構成により、φvolに寄与した時間で検知信号KがOFFとなる。例えば、φvol＝α・φnの状態が時間Tn継続すると検知信号KがOFFとなる。また別例では、φvol＝０の状態が時間Tn/(1−α)継続すると検知信号KがOFFとなる。さらに別例で、φvol≧φnの状態ならば検知信号KはOFFしない。このように、誘導機磁束大きさφvolによって、検知信号KがOFFするまでの時間は変化する。
【００４４】
実施例１で述べたように、空転、滑走の度合いが大きく、磁束基準値φnより誘導機磁束大きさφvolが極めて少ない状態でほぼ０であるならば、誤差率dφは大きくなり、検知信号Kは早期にOFFすることになる。逆に、空転、滑走の度合いが小さく、磁束基準値φnより誘導機磁束大きさφvolが少々少ない状態ならば、誤差率dφは小さくなり、検知信号KはなかなかOFFしない。空転、滑走の度合いにより、検知信号KがOFFするまでの時間が変化する。
【００４５】
以上の構成とすることにより、誘導機が脱調状態となる前に、一部車軸の空転、滑走が大きくなったことを検知でき、誘導機のトルク制御を停止させることができる。誘導機のトルク制御を停止させるまでの時間は、空転、滑走の度合いによって変化させることができる。
【００４６】
ところで、積分器９の出力である誤差時間Tφを誘導機トルク制御停止状態で０にすれば、検知信号KはONとなり、再度のトルク制御開始可能となる。そのとき、同様に一部車軸の空転、滑走が大きくなれば、再度、本発明の検知が初期状態から行われ、条件を満たせば誘導機のトルク制御が停止する。
【００４７】
また、磁束誤差演算器８の式(8)や式(9)の演算結果０以下を０に下限リミットすれば、φvol＞φnであっても誤差時間Tφは減少しない。これにより、φvolがφnを境として振動していたとしても、検知信号KはそのうちにOFFとなる。逆に、磁束誤差演算器８の式(8)や式(9)の演算結果０以下を０に下限リミットしなければ、φvolがφnを境として振動しているときは、検知信号KはOFFとなり難くなる。
【００４８】
また、積分器９の出力である誤差時間Tφをφvol＞φnで０にすれば、φvol＜φnの状態が時間設定値Tnに依存した時間継続した時に検知信号KがOFFとなる。
【産業上の利用可能性】
【００４９】
車両のような複数台誘導機制御において、一部車輪軸の空転、滑走を検知することができる。さらに、一部車輪軸の空転、滑走が大きくなることにより発生する誘導機脱調状態に至る前に、検知信号Ｋにより誘導機制御を停止させることができる。
【００５０】
磁束誤差演算器８の演算の仕方により、一部車輪軸の空転、滑走の度合いで検知するまでの時間を変えることができる。例えば、一部車輪軸の空転、滑走の度合いが少なければ、検知するまでの時間を長くすることができる。一部車輪軸の空転、滑走の度合いが大きければ、検知するまでの時間を短くすることができる。
【００５１】
車両制御の一部車輪軸の空転、滑走による速度演算誤差に限らず、トルクの一括制御対象となっている複数台誘導機の一部の軸速度に差ができた場合であっても、誘導機脱調状態に至る前に、検知信号Ｋにより誘導機制御を停止させることができる。
【００５２】
誘導機制御を停止することにより、誘導機脱調状態が原因である過電流や過電圧による誘導機破壊、電力変換器３の素子破壊を防止することができる。
【図面の簡単な説明】
【００５３】
【図１】図1は、本発明の一実施例を示すブロック図である。
【図２】図2は、一従来例を示すブロック図である。
【図３】図3は、磁束誤差演算器の一実施例を示す図である。
【図４】図4は、磁束誤差演算器の一実施例を示す図である。
【図５】図5は、磁束基準値の一作成例を示す図である。
【符号の説明】
【００５４】
101、102、103、104    誘導機
２    電流検出器
３    電力変換器
４    トルク制御手段
５    磁束演算器
６    速度演算器
７    磁束量演算器
８    磁束誤差演算器
９    積分器
10    比較器
11    運転論理器
12    基準値設定器
ｉ      総和電流
ｖ      電圧指令
τ＊    トルク指令
φ＊    磁束指令
ωｍ    誘導機速度
φ      誘導機磁束
Ｎ      運転指令
Φvol    誘導機磁束大きさ
Φn      磁束基準値
α      演算ゲイン
β      減衰率
dφ      誤差率
Tφ      誤差時間
Tn      時間設定値
Ｋ      検知信号
NN      制御指令
【図１】
2008043112.tif 000007
【図２】
2008043112.tif 000008
【図３】
2008043112.tif 000009
【図４】
2008043112.tif 000010
【図５】
2008043112.tif 000011